(57)【要約】【課題】衣服の厚さに関わらずに衣服に容易に取り付けることができる衣服用コネクタを提供する。【解決手段】コネクタ本体１２と、コネクタ本体に保持されたコンタクト１３と、コネクタ本体に保持された導電部材１８と、コネクタ本体に保持され且つコネクタ本体の外部に延びるシート形状のコネクタ固定部材１４とを備え、コネクタ本体１２の外部においてコネクタ固定部材１４が衣服の布２１に固定されることにより衣服用コネクタ１１が衣服に取り付けられる。【選択図】図１８
2020010832.tif 000002
【特許請求の範囲】
【請求項１】
コネクタ本体と、
前記コネクタ本体に保持された１つ以上のコンタクトと、
前記コネクタ本体に保持され且つ前記１つ以上のコンタクトに対応する１つ以上の導電部材と、
前記コネクタ本体に保持され且つ前記コネクタ本体の外部にまで延びるシート形状のコネクタ固定部材と
を備え、
前記コネクタ本体の外部において前記コネクタ固定部材が衣服に固定されることにより前記衣服に取り付けられることを特徴とする衣服用コネクタ。
【請求項２】
前記１つ以上の導電部材は、それぞれ、前記コネクタ本体の内部に配置されて対応する前記コンタクトに接続される内部導電部と、前記コネクタ本体の外部に配置されて少なくとも一部が前記コネクタ固定部材に沿って延びる外部導電部とを有する請求項１に記載の衣服用コネクタ。
【請求項３】
前記コネクタ固定部材は、前記コネクタ本体の外周部を囲むように前記コネクタ本体の外部に延びている請求項２に記載の衣服用コネクタ。
【請求項４】
前記外部導電部の少なくとも一部は、前記コネクタ固定部材により覆われる請求項２または３に記載の衣服用コネクタ。
【請求項５】
前記コネクタ固定部材は、前記コネクタ本体の内部に位置する開口部を有し、
前記１つ以上のコンタクトは、前記コネクタ固定部材の前記開口部内において、前記１つ以上の導電部材の前記内部導電部に接続されている請求項２〜４のいずれか一項に記載の衣服用コネクタ。
【請求項６】
前記コネクタ固定部材は、絶縁性を有し、樹脂または布から形成されている請求項２〜５のいずれか一項に記載の衣服用コネクタ。
【請求項７】
前記コネクタ固定部材は、縫合により前記衣服に固定される請求項２〜６のいずれか一項に記載の衣服用コネクタ。
【請求項８】
前記コネクタ本体は、前記コネクタ固定部材が前記衣服に固定されたときに、前記衣服の外側に向かって露出される第１インシュレータと、前記第１インシュレータよりも前記衣服の内側に配置され且つ前記第１インシュレータに結合される第２インシュレータとを有する請求項２〜７のいずれか一項に記載の衣服用コネクタ。
【請求項９】
前記第１インシュレータは、前記第２インシュレータに向けて突出する複数の固定用突起を有し、
前記第２インシュレータは、前記第１インシュレータの前記複数の固定用突起に対応する複数の貫通孔を有し、
前記複数の固定用突起が前記複数の貫通孔に挿入された状態で前記第１インシュレータと前記第２インシュレータとが互いに結合される請求項８に記載の衣服用コネクタ。
【請求項１０】
前記１つ以上の導電部材は、前記内部導電部が前記第１インシュレータおよび前記第２インシュレータの間に挟まれることにより前記コネクタ本体に保持される請求項８または９に記載の衣服用コネクタ。
【請求項１１】
前記第１インシュレータおよび前記第２インシュレータと前記１つ以上の導電部材の前記内部導電部との間にそれぞれ防水シートが配置されている請求項１０に記載の衣服用コネクタ。
【請求項１２】
前記防水シートは、接着剤からなる請求項１１に記載の衣服用コネクタ。
【請求項１３】
前記１つ以上の導電部材は、それぞれ導電繊維からなり、前記１つ以上の導電部材の前記内部導電部の内部に前記接着剤が入り込んでいる請求項１２に記載の衣服用コネクタ。
【請求項１４】
前記１つ以上のコンタクトは、それぞれ、前記コネクタ固定部材が前記衣服に固定されたときに前記衣服の外側に向かって突出する突出部と、前記突出部の基端に形成されたフランジとを有し、
前記第１インシュレータは、前記１つ以上のコンタクトの前記突出部が貫通する１つ以上のコンタクト取付孔を有し、
前記１つ以上のコンタクトは、それぞれ、前記突出部が前記第１インシュレータの対応する前記コンタクト取付孔に挿入され且つ前記フランジが前記第１インシュレータおよび前記第２インシュレータの間に挟まれた状態で前記コネクタ本体に保持される請求項８〜１３のいずれか一項に記載の衣服用コネクタ。
【請求項１５】
前記第２インシュレータは、前記１つ以上のコンタクトに向けて突出する１つ以上のコンタクト用突起を有し、
前記１つ以上のコンタクトの前記突出部は、それぞれ凹状の突起収容部を有し、
前記１つ以上の導電部材を間に挟んで前記１つ以上のコンタクト用突起が前記１つ以上のコンタクトの前記突出収容部に挿入されることにより、前記１つ以上の導電部材が前記１つ以上のコンタクトに電気的に接続される請求項１４に記載の衣服用コネクタ。
【請求項１６】
前記第１インシュレータは、凹状の相手側コネクタ収容部を有し、
前記１つ以上のコンタクトの前記突出部は、前記相手側コネクタ収容部内に突出する請求項１４または１５に記載の衣服用コネクタ。
【請求項１７】
前記コネクタ固定部材は、前記１つ以上のコンタクトおよび前記１つ以上の導電部材とは異なる位置において前記第１インシュレータおよび前記第２インシュレータの間に挟まれることにより前記コネクタ本体に保持される請求項８〜１６のいずれか一項に記載の衣服用コネクタ。
【請求項１８】
前記１つ以上の導電部材の前記外部導電部は、前記衣服の１つ以上の衣服側導体部に電気的に接続される請求項２〜１７のいずれか一項に記載の衣服用コネクタ。
【請求項１９】
前記１つ以上の導電部材の前記外部導電部および前記１つ以上の衣服側導体部は、互いに接触することにより互いに電気的に接続される請求項１８に記載の衣服用コネクタ。
【請求項２０】
前記１つ以上の導電部材の前記外部導電部および前記１つ以上の衣服側導体部は、前記衣服を形成する布の両面上にそれぞれ配置され、導電性糸を用いて前記布と共に縫合されることにより互いに電気的に接続される請求項１８に記載の衣服用コネクタ。
【請求項２１】
前記１つ以上の導電部材は、予め前記衣服に取り付けられている請求項２〜１７のいずれか一項に記載の衣服用コネクタ。
【発明の詳細な説明】
【技術分野】
【０００１】
この発明は、衣服用コネクタに係り、特に、衣服に取り付けられるコネクタに関する。
【背景技術】
【０００２】
衣服に取り付けられるコネクタとして、例えば、特許文献１に、図２６に示されるようなコネクタ１が開示されている。コネクタ１は、衣服に取り付けられる衣服側コネクタ部２と、衣服側コネクタ部２に嵌合するモジュール側コネクタ部３を備えている。
【０００３】
衣服側コネクタ部２は、図２７に示されるように、円板形状のベース部材４と、ベース部材４に取り付けられる枠部材５を有している。ベース部材４の上面に、円を描くように複数の接点部６が配列され、複数の接点部６にそれぞれ接続された複数の外部接続部６Ａがベース部材４の上面の周縁部から露出して突出し、さらに、ベース部材４の上面の周縁部には、ベース部材４と一体に形成された複数の突起７が突出している。一方、枠部材５の下面には、図示しない複数の嵌合孔が形成されている。
【０００４】
ベース部材４と枠部材５の間に衣服の布８を挟んだ状態で、枠部材５をベース部材４に向けて押しつけることにより、布８を挟んだまま、ベース部材４の複数の外部接続部６Ａおよび複数の突起７が枠部材５の複数の嵌合孔にそれぞれ嵌合し、布８に衣服側コネクタ部２が取り付けられる。布８には、予め、開口部９が形成されると共に、布８の裏面に複数の配線部１０が配置されており、布８の複数の配線部１０は、それぞれ、ベース部材４の対応する外部接続部６Ａに接触した状態で枠部材５の嵌合孔に圧入され、外部接続部６Ａに接続される。
【０００５】
ベース部材４の複数の接点部６は、布８の開口部９を通して露出しており、衣服側コネクタ部２にモジュール側コネクタ部３を嵌合すると、モジュール側コネクタ部３の図示しない複数の接点部が、ベース部材４の複数の接点部６に接触し、複数の外部接続部６Ａを介して布８の複数の配線部１０に電気的に接続される。
【先行技術文献】
【特許文献】
【０００６】
【特許文献１】特開２０１７−１８２８９７号公報
【発明の概要】
【発明が解決しようとする課題】
【０００７】
このように、特許文献１のコネクタ１では、衣服の布８をベース部材４と枠部材５の間に挟みつつ、ベース部材４の複数の外部接続部６Ａおよび複数の突起７を枠部材５の複数の嵌合孔にそれぞれ嵌合することにより、布８に衣服側コネクタ部２が取り付けられる。従って、衣服に衣服側コネクタ部２を強固に取り付けるためには、布８の厚さに応じて、ベース部材４の外部接続部６Ａおよび突起７と枠部材５の複数の嵌合孔の大きさを変更する必要があるという問題がある。
【０００８】
この発明は、このような従来の問題点を解消するためになされたもので、衣服の厚さに関わらずに衣服に容易に取り付けることができる衣服用コネクタを提供することを目的とする。
【課題を解決するための手段】
【０００９】
この発明に係る衣服用コネクタは、コネクタ本体と、コネクタ本体に保持された１つ以上のコンタクトと、コネクタ本体に保持され且つ１つ以上のコンタクトに対応する１つ以上の導電部材と、コネクタ本体に保持され且つコネクタ本体の外部にまで延びるシート形状のコネクタ固定部材とを備え、コネクタ本体の外部においてコネクタ固定部材が衣服に固定されることにより衣服に取り付けられるものである。
【００１０】
１つ以上の導電部材は、それぞれ、コネクタ本体の内部に配置されて対応するコンタクトに接続される内部導電部と、コネクタ本体の外部に配置されて少なくとも一部がコネクタ固定部材に沿って延びる外部導電部とを有することが好ましい。
コネクタ固定部材は、コネクタ本体の外周部を囲むようにコネクタ本体の外部に延びていることが好ましい。
外部導電部の少なくとも一部は、コネクタ固定部材により覆われることが好ましい。
コネクタ固定部材は、コネクタ本体の内部に位置する開口部を有し、１つ以上のコンタクトは、コネクタ固定部材の開口部内において、１つ以上の導電部材の内部導電部に接続されていることが好ましい。
コネクタ固定部材は、絶縁性を有し、樹脂または布から形成されることが好ましい。
また、コネクタ固定部材は、縫合により衣服に固定されることができる。
【００１１】
コネクタ本体は、コネクタ固定部材が衣服に固定されたときに、衣服の外側に向かって露出される第１インシュレータと、第１インシュレータよりも衣服の内側に配置され且つ第１インシュレータに結合される第２インシュレータとを有することができる。
第１インシュレータは、第２インシュレータに向けて突出する複数の固定用突起を有し、第２インシュレータは、第１インシュレータの複数の固定用突起に対応する複数の貫通孔を有し、複数の固定用突起が複数の貫通孔に挿入された状態で第１インシュレータと第２インシュレータとが互いに結合されるように構成することができる。
【００１２】
１つ以上の導電部材は、内部導電部が第１インシュレータおよび第２インシュレータの間に挟まれることによりコネクタ本体に保持されることが好ましい。
第１インシュレータおよび第２インシュレータと１つ以上の導電部材の内部導電部との間にそれぞれ防水シートを配置することができる。
防水シートは、接着剤から形成することができる。
１つ以上の導電部材は、それぞれ導電繊維からなり、１つ以上の導電部材の内部導電部の内部に接着剤が入り込んでいることが好ましい。
【００１３】
１つ以上のコンタクトは、それぞれ、コネクタ固定部材が衣服に固定されたときに衣服の外側に向かって突出する突出部と、突出部の基端に形成されたフランジとを有し、第１インシュレータは、１つ以上のコンタクトの突出部が貫通する１つ以上のコンタクト取付孔を有し、１つ以上のコンタクトは、それぞれ、突出部が第１インシュレータの対応するコンタクト取付孔に挿入され且つフランジが第１インシュレータおよび第２インシュレータの間に挟まれた状態でコネクタ本体に保持されるように構成することができる。
第２インシュレータは、１つ以上のコンタクトに向けて突出する１つ以上のコンタクト用突起を有し、１つ以上のコンタクトの突出部は、それぞれ凹状の突起収容部を有し、１つ以上の導電部材を間に挟んで１つ以上のコンタクト用突起が１つ以上のコンタクトの突出収容部に挿入されることにより、１つ以上の導電部材が１つ以上のコンタクトに電気的に接続されることが好ましい。
【００１４】
第１インシュレータは、凹状の相手側コネクタ収容部を有し、１つ以上のコンタクトの突出部は、相手側コネクタ収容部内に突出することが好ましい。
コネクタ固定部材は、１つ以上のコンタクトおよび１つ以上の導電部材とは異なる位置において第１インシュレータおよび第２インシュレータの間に挟まれることによりコネクタ本体に保持されることが好ましい。
【００１５】
１つ以上の導電部材の外部導電部は、衣服の１つ以上の衣服側導体部に電気的に接続されることができる。
この場合、１つ以上の導電部材の外部導電部および１つ以上の衣服側導体部は、互いに接触することにより互いに電気的に接続されることができる。あるいは、１つ以上の導電部材の外部導電部および１つ以上の衣服側導体部は、衣服を形成する布の両面上にそれぞれ配置され、導電性糸を用いて布と共に縫合されることにより互いに電気的に接続されてもよい。
また、１つ以上の導電部材は、予め衣服に取り付けられていてもよい。
【発明の効果】
【００１６】
この発明によれば、コネクタ本体に保持され且つコネクタ本体の外部にまで延びるシート形状のコネクタ固定部材が、コネクタ本体の外部において衣服に固定されることにより衣服に取り付けられるので、衣服の厚さに関わらずに衣服に容易に取り付けることが可能となる。
【図面の簡単な説明】
【００１７】
【図１】この発明の実施の形態１に係る衣服用コネクタを斜め上方から見た斜視図である。
【図２】実施の形態１に係る衣服用コネクタを斜め下方から見た斜視図である。
【図３】実施の形態１に係る衣服用コネクタの分解斜視図である。
【図４】実施の形態１の衣服用コネクタに用いられるコンタクトを示す斜視図である。
【図５】実施の形態１の衣服用コネクタに用いられるコンタクトを示す断面図である。
【図６】実施の形態１の衣服用コネクタを組み立てる際に上下逆さに置かれた第１インシュレータを示す斜視図である。
【図７】実施の形態１の衣服用コネクタを組み立てる際に第１インシュレータにコネクタ固定部材が重ねられた状態を示す斜視図である。
【図８】実施の形態１の衣服用コネクタを組み立てる際に第１インシュレータの上に第１の防水シートが配置された状態を示す斜視図である。
【図９】実施の形態１の衣服用コネクタを組み立てる際に第１インシュレータおよび第１の防水シートにコンタクトが組み込まれた状態を示す斜視図である。
【図１０】実施の形態１の衣服用コネクタを組み立てる際に第１の防水シートおよびコンタクトの上に導電部材が配置された状態を示す斜視図である。
【図１１】実施の形態１の衣服用コネクタを組み立てる際に導電部材の上に浸透接着剤シートが配置された状態を示す斜視図である。
【図１２】実施の形態１の衣服用コネクタを組み立てる際に第１の防水シート、導電部材および浸透接着剤シートの上に第２の防水シートが配置された状態を示す斜視図である。
【図１３】実施の形態１の衣服用コネクタを組み立てる際に第２の防水シートの上に第２インシュレータが配置された状態を示す斜視図である。
【図１４】第２インシュレータが配置されたときのコンタクトを示す部分拡大断面図である。
【図１５】実施の形態１の衣服用コネクタを衣服の上方に位置合わせした状態を示す斜視図である。
【図１６】衣服の表面上に配置された実施の形態１に係る衣服用コネクタの導電部材の外部導電部を衣服に縫合する状態を示す斜視図である。
【図１７】衣服に取り付けられた実施の形態１の衣服用コネクタを示す斜視図である。
【図１８】衣服に取り付けられた実施の形態１の衣服用コネクタを示す部分断面図である。
【図１９】実施の形態１の衣服用コネクタの上方に相手側コネクタを位置合わせした状態を示す斜視図である。
【図２０】相手側コネクタを斜め下方から見た斜視図である。
【図２１】相手側コネクタの分解斜視図である。
【図２２】相手側コネクタが嵌合した実施の形態１の衣服用コネクタを示す斜視図である。
【図２３】実施の形態２に係る衣服用コネクタを衣服の上方に位置合わせした状態を示す斜視図である。
【図２４】実施の形態２に係る衣服用コネクタの導電部材の外部導電部を衣服に縫合する状態を示す斜視図である。
【図２５】実施の形態３に係る衣服用コネクタを組み立てる際に用いられる、予め衣服に取り付けられた導電部材を示す斜視図である。
【図２６】従来のコネクタを示す斜視図である。
【図２７】従来のコネクタを衣服の布に取り付ける状態を示す斜視図である。
【発明を実施するための形態】
【００１８】
以下、この発明の実施の形態を添付図面に基づいて説明する。
実施の形態１
図１および図２に、実施の形態１に係る衣服用コネクタ１１を示す。衣服用コネクタ１１は、例えば、ウエアラブルデバイスを嵌合するために衣服に取り付けられるコネクタとして使用されるもので、絶縁性材料からなるコネクタ本体１２を有し、コネクタ本体１２に複数のコンタクト１３とシート形状のコネクタ固定部材１４とが保持されている。
【００１９】
コネクタ本体１２は、第１インシュレータ１５と、第１インシュレータ１５に結合される第２インシュレータ１６とを有しており、コネクタ固定部材１４は、第１インシュレータ１５と第２インシュレータ１６の間に挟まれて保持され、コネクタ本体１２の外周部を切れ目なく囲むようにコネクタ本体１２の外部にまで延びている。
第１インシュレータ１５および第２インシュレータ１６は、いずれも、ほぼ長方形の平板形状を有している。図１に示されるように、第１インシュレータ１５には、凹状の相手側コネクタ収容部１７が形成されており、複数のコンタクト１３が、相手側コネクタ収容部１７の底面に対して垂直に相手側コネクタ収容部１７内に突出している。なお、相手側コネクタ収容部１７は、必ずしも凹状である必要はなく、第１インシュレータ１５が平板形状を有していてもよい。
【００２０】
また、図２に示されるように、衣服用コネクタ１１は、複数のコンタクト１３に対応し且つコネクタ本体１２に保持された複数の導電部材１８を有している。複数の導電部材１８は、それぞれ、コネクタ本体１２の内部に配置されて対応するコンタクト１３に電気的に接続される、後述の内部導電部１８Ａと、コネクタ本体１２の外部に配置され且つコネクタ固定部材１４に沿って延びてコネクタ固定部材１４により覆われる外部導電部１８Ｂとを有している。
ここで、便宜上、ほぼ長方形の第１インシュレータ１５および第２インシュレータ１６の短辺方向をＸ方向、長辺方向をＹ方向、ＸＹ面に垂直で且つそれぞれのコンタクト１３が突出する方向を＋Ｚ方向と呼ぶことにする。
【００２１】
すなわち、６個のコンタクト１３が、３個ずつ、それぞれほぼＹ方向に沿って２列に配列されており、６個のコンタクト１３のうち、＋Ｘ方向側に配置された３個のコンタクト１３に対応する３個の導電部材１８が、コネクタ本体１２から＋Ｘ方向に延びるように配置され、−Ｘ方向側に配置された３個のコンタクト１３に対応する３個の導電部材１８が、コネクタ本体１２から−Ｘ方向に延びるように配置されている。
【００２２】
図３に示されるように、衣服用コネクタ１１は、さらに、第１インシュレータ１５と複数の導電部材１８との間に配置される第１の防水シート１９と、複数の導電部材１８と第２インシュレータ１６との間に配置される第２の防水シート２０と、複数の導電部材１８と第２の防水シート２０との間に配置される２つの浸透接着剤シートＳを備えている。
第１インシュレータ１５には、複数のコンタクト１３が貫通する複数のコンタクト取付孔１５Ａが形成されている。
シート形状のコネクタ固定部材１４は、絶縁性を有しており、樹脂または布から形成されている。また、コネクタ固定部材１４には、中央に位置する開口部１４Ａが形成されると共に、開口部１４Ａの周縁に沿って複数の貫通孔１４Ｂが形成されている。
【００２３】
第１の防水シート１９および第２の防水シート２０は、第１インシュレータ１５および第２インシュレータ１６とほぼ同じ大きさの長方形状を有するシート形状またはフィルム形状の固形接着剤からなり、例えば、熱溶解型の熱可塑性接着剤を第１の防水シート１９および第２の防水シート２０として用いることができる。この熱可塑性接着剤は、いわゆるホットメルト接着剤とも呼ばれ、常温では固体であるが、加熱することにより溶融し、冷却固化によって接合を形成するものである。
第１の防水シート１９および第２の防水シート２０には、それぞれ、複数のコンタクト１３に対応する複数の貫通孔１９Ａおよび２０Ａが形成されると共に、周縁に沿って複数の貫通孔１９Ｂおよび２０Ｂが形成されている。さらに、第１の防水シート１９および第２の防水シート２０には、それぞれの貫通孔１９Ａおよび２０Ａの周辺に配置された複数の小さな貫通孔１９Ｃおよび２０Ｃが形成されている。
複数の導電部材１８は、それぞれ、導電繊維を用いて布状に加工された部材であり、導電性と可撓性とを有している。
【００２４】
浸透接着剤シートＳは、第１の防水シート１９および第２の防水シート２０と同様に、固形接着剤からなり、例えば、熱溶解型の熱可塑性接着剤を浸透接着剤シートＳとして用いることができる。ただし、加熱して溶融したときに、第１の防水シート１９および第２の防水シート２０の接着剤よりも流動性が高く、複数の導電部材１８の内部に浸透しやすい接着剤であることが好ましい。
第２インシュレータ１６には、複数のコンタクト１３に対応し且つそれぞれ＋Ｚ方向に突出する複数のコンタクト用突起１６Ａが形成されると共に、周縁に沿って複数の貫通孔１６Ｂが形成されている。さらに、第２インシュレータ１６には、それぞれのコンタクト用突起１６Ａの周辺に配置された複数の小さな凹部１６Ｃが形成されている。
【００２５】
図４に示されるように、コンタクト１３は、金属等の導電性材料から形成されたプラグ型のコンタクトで、Ｚ方向に延びるほぼ円筒形状の突出部１３Ａと、突出部１３Ａの−Ｚ方向の基端からＸＹ面に沿って延びるフランジ１３Ｂを有している。また、図５に示されるように、突出部１３Ａの内部には、凹状の突起収容部１３Ｃが形成されている。
第１インシュレータ１５の複数のコンタクト取付孔１５Ａおよび第１の防水シート１９の複数の貫通孔１９Ａは、それぞれ、コンタクト１３の突出部１３Ａの外径よりもわずかに大きく且つフランジ１３Ｂの外径よりも小さい内径を有するものとする。
【００２６】
ここで、衣服用コネクタ１１を組み立てる方法について説明する。
まず、図６に示されるように、第１インシュレータ１５が作業台等の上に上下逆さに置かれる。すなわち、相手側コネクタ収容部１７が下方を向くように第１インシュレータ１５が配置される。なお、第１インシュレータ１５の−Ｚ方向側の面には、第１インシュレータ１５の周縁に沿って配置され且つそれぞれ−Ｚ方向に突出する複数の固定用突起１５Ｂが形成されている。コネクタ固定部材１４の複数の貫通孔１４Ｂ、第１の防水シート１９および第２の防水シート２０の複数の貫通孔１９Ｂおよび２０Ｂ、並びに、第２インシュレータ１６の複数の貫通孔１６Ｂは、それぞれ、第１インシュレータ１５の複数の固定用突起１５Ｂに対応する位置に形成されているものとする。
【００２７】
さらに、第１インシュレータ１５の−Ｚ方向側の面には、それぞれのコンタクト取付孔１５Ａの周辺に複数の小さな突起１５Ｃが突出形成されている。第１の防水シート１９および第２の防水シート２０の複数の貫通孔１９Ｃおよび２０Ｃ、並びに、第２インシュレータ１６の複数の凹部１６Ｃは、それぞれ、第１インシュレータ１５の複数の突起１５Ｃに対応する位置に形成されているものとする。
【００２８】
次に、図７に示されるように、第１インシュレータ１５の上、すなわち、−Ｚ方向側に、コネクタ固定部材１４が重ねて配置され、コネクタ固定部材１４の複数の貫通孔１４Ｂに第１インシュレータ１５の複数の固定用突起１５Ｂが通される。これにより、第１インシュレータ１５に対するコネクタ固定部材１４の位置合わせがなされる。
このとき、第１インシュレータ１５の複数のコンタクト取付孔１５Ａおよび複数の突起１５Ｃは、コネクタ固定部材１４の開口部１４Ａ内に位置し、開口部１４Ａを通して露出されている。
【００２９】
さらに、図８に示されるように、第１インシュレータ１５およびコネクタ固定部材１４の上に第１の防水シート１９が重ねて配置され、第１の防水シート１９の複数の貫通孔１９Ｂに第１インシュレータ１５の複数の固定用突起１５Ｂが通されると共に、第１の防水シート１９の複数の小さな貫通孔１９Ｃに第１インシュレータ１５の複数の小さな突起１５Ｃが通される。これにより、第１インシュレータ１５に対する第１の防水シート１９の位置合わせがなされる。
このとき、第１の防水シート１９の複数の貫通孔１９Ａは、それぞれ、第１インシュレータ１５の対応するコンタクト取付孔１５Ａの直上に位置している。
【００３０】
そこで、図９に示されるように、第１の防水シート１９の複数の貫通孔１９Ａに複数のコンタクト１３が組み込まれる。複数のコンタクト１３の突出部１３Ａが、それぞれ、第１の防水シート１９の対応する貫通孔１９Ａを通して第１インシュレータ１５の対応するコンタクト取付孔１５Ａに挿入され、第１インシュレータ１５の相手側コネクタ収容部１７内に突出した状態となる。なお、コンタクト１３のフランジ１３Ｂの外径は、第１インシュレータ１５のコンタクト取付孔１５Ａおよび第１の防水シート１９の貫通孔１９Ａの内径よりも大きいので、図９に示されるように、複数のコンタクト１３は、それぞれのフランジ１３Ｂが第１の防水シート１９から露出した状態で保持されることとなる。
【００３１】
次に、図１０に示されるように、第１の防水シート１９および複数のコンタクト１３のフランジ１３Ｂの上に複数の導電部材１８が配置される。それぞれの導電部材１８は、第１の防水シート１９の上に配置される内部導電部１８Ａと、第１の防水シート１９の外側に配置される外部導電部１８Ｂとを有している。
なお、６個のコンタクト１３のうち、＋Ｘ方向側に配置された３個のコンタクト１３に対応する３個の導電部材１８が、第１の防水シート１９の上から＋Ｘ方向に延びるように配置され、−Ｘ方向側に配置された３個のコンタクト１３に対応する３個の導電部材１８が、第１の防水シート１９の上から−Ｘ方向に延びるように配置されている。
【００３２】
このとき、それぞれの導電部材１８の内部導電部１８Ａの先端が、対応するコンタクト１３のフランジ１３Ｂの直上に位置するが、導電部材１８の内部導電部１８Ａの先端は、第１インシュレータ１５のコンタクト取付孔１５Ａの周辺に突出形成されている複数の小さな突起１５Ｃに接触することにより配置位置が規制される。このため、複数の導電部材１８が互いに接触して電気的に短絡することが防止される。
【００３３】
さらに、図１１に示されるように、複数の導電部材１８の上に２つの浸透接着剤シートＳが配置される。２つの浸透接着剤シートＳのうち＋Ｘ方向側に位置する浸透接着剤シートＳは、第１の防水シート１９の上から＋Ｘ方向に延びる３個の導電部材１８をほぼＹ方向に横切り且つ第１インシュレータ１５の＋Ｘ方向側に配列された複数の固定用突起１５Ｂと複数の突起１５Ｃの間に位置するように配置される。また、２つの浸透接着剤シートＳのうち−Ｘ方向側に位置する浸透接着剤シートＳは、第１の防水シート１９の上から−Ｘ方向に延びる３個の導電部材１８をほぼＹ方向に横切り且つ第１インシュレータ１５の−Ｘ方向側に配列された複数の固定用突起１５Ｂと複数の突起１５Ｃの間に位置するように配置される。
【００３４】
図１２に示されるように、第１の防水シート１９、複数の導電部材１８および２つの浸透接着剤シートＳの上に第２の防水シート２０が重ねて配置され、第２の防水シート２０の複数の貫通孔２０Ｂに第１インシュレータ１５の複数の固定用突起１５Ｂが通されると共に、第２の防水シート２０の複数の小さな貫通孔２０Ｃに第１インシュレータ１５の複数の小さな突起１５Ｃが通される。これにより、第１インシュレータ１５に対する第２の防水シート２０の位置合わせがなされる。
なお、第２の防水シート２０の複数の貫通孔２０Ａは、複数のコンタクト１３のフランジ１３Ｂの上に配置された複数の導電部材１８の一端の直上に位置することとなる。
【００３５】
次いで、図１３に示されるように、第２の防水シート２０の上に第２インシュレータ１６が重ねて配置され、第２インシュレータ１６の複数の貫通孔１６Ｂに第１インシュレータ１５の複数の固定用突起１５Ｂが通されると共に、第２インシュレータ１６の複数の凹部１６Ｃに第１インシュレータ１５の複数の突起１５Ｃが挿入される。これにより、第１インシュレータ１５に対する第２インシュレータ１６の位置合わせがなされる。
このとき、図１４に示されるように、＋Ｚ方向に突出する第２インシュレータ１６のコンタクト用突起１６Ａが、導電部材１８を間に挟んで、対応するコンタクト１３の突起収容部１３Ｃに挿入され、導電部材１８は、コンタクト用突起１６Ａにより＋Ｚ方向に突き出されて変形し、コンタクト１３の突起収容部１３Ｃの内周面に接触する。これにより、複数のコンタクト１３が、それぞれ、対応する導電部材１８に電気的に接続される。
【００３６】
このようにして、第１インシュレータ１５および第２インシュレータ１６の間に、コネクタ固定部材１４、第１の防水シート１９、複数のコンタクト１３、複数の導電部材１８、２つの浸透接着剤シートＳおよび第２の防水シート２０が挟み込まれた状態で、加熱処理が施され、第１の防水シート１９および第２の防水シート２０が溶融した後、冷却されることで、固化される。これにより、第１インシュレータ１５と第２インシュレータ１６とが互いに接着されると共に、第１インシュレータ１５と第２インシュレータ１６との間に固化した接着剤からなる防水層が形成され、第１インシュレータ１５と第２インシュレータ１６との間に水が浸入することが防止される。
【００３７】
また、加熱処理により、複数の導電部材１８の上に配置されている２つの浸透接着剤シートＳも溶融するが、浸透接着剤シートＳは、溶融時に高い流動性を有しており、導電繊維からなる導電部材１８の内部に溶融した接着剤が浸透し、その後、冷却固化される。従って、導電部材１８の内部に浸透接着剤シートＳを構成していた接着剤が入り込んで固化し、これにより、導電部材１８の内部を通って外部から第１インシュレータ１５と第２インシュレータ１６との間に水が浸入することも防止されることとなる。
【００３８】
その後、第２インシュレータ１６の複数の貫通孔１６Ｂから−Ｚ方向に突出している第１インシュレータ１５の複数の固定用突起１５Ｂの先端部が加熱溶融されて第２インシュレータ１６の−Ｚ方向側の表面に融着される。これにより、第１インシュレータ１５と第２インシュレータ１６とが互いに結合されてコネクタ本体１２が形成され、図１および図２に示される衣服用コネクタ１１の組み立てが完了する。
【００３９】
次に、実施の形態１の衣服用コネクタ１１を衣服に取り付ける方法について説明する。
まず、図１５に示されるように、衣服用コネクタ１１を衣服の布２１の表面におけるコネクタ取り付け位置２２の直上に位置させる。なお、布２１の裏面には、衣服用コネクタ１１の複数の導電部材１８に対応する複数の衣服側導体部２３が配置されているものとする。
衣服用コネクタ１１を布２１のコネクタ取り付け位置２２に位置させると、図１６に示されるように、衣服用コネクタ１１の複数の導電部材１８の外部導電部１８Ｂは、それぞれ、布２１の裏面に配置されている対応の衣服側導体部２３の先端部の直上に位置する。すなわち、互いに対応する外部導電部１８Ｂと衣服側導体部２３の先端部は、布２１を挟んで布２１の両面上にそれぞれ配置される。
【００４０】
そこで、互いに対応する外部導電部１８Ｂと衣服側導体部２３の先端部が、導電性糸２４を用いて、布２１と共に縫合される。これにより、衣服用コネクタ１１の複数の導電部材１８と布２１の複数の衣服側導体部２３とが、それぞれ、電気的に接続される。
なお、図１６では、衣服用コネクタ１１の複数の導電部材１８の外部導電部１８Ｂを見やすくするために、コネクタ固定部材１４の図示が省略されている。実際には、複数の導電部材１８の外部導電部１８Ｂがコネクタ固定部材１４により覆われているので、コネクタ固定部材１４をめくりながら、互いに対応する外部導電部１８Ｂと衣服側導体部２３の先端部との縫合を行う必要がある。
【００４１】
その後、図１７に示されるように、コネクタ固定部材１４の周縁部が絶縁性糸２５を用いて布２１に縫合され、コネクタ固定部材１４が衣服の布２１に固定される。これにより、衣服用コネクタ１１が衣服に取り付けられる。
図１８に示されるように、コネクタ本体１２の第１インシュレータ１５と第２インシュレータ１６との間に挟まれることによりシート形状のコネクタ固定部材１４および導電部材１８がコネクタ本体１２に保持され、導電部材１８の外部導電部１８Ｂが導電性糸２４を用いて布２１に縫合されることで、外部導電部１８Ｂと衣服側導体部２３とが互いに電気的に接続され、コネクタ固定部材１４の周縁部が絶縁性糸２５を用いて布２１に縫合されることで、衣服用コネクタ１１が衣服に取り付けられている。
【００４２】
このように、衣服の布２１を挟むことなく、コネクタ本体１２の外部においてコネクタ固定部材１４を布２１に縫合することにより、衣服用コネクタ１１を衣服に取り付けることができる。このため、衣服の厚さに関わらずに、衣服用コネクタ１１を衣服に容易に且つ堅固に取り付けることが可能となる。すなわち、衣服用コネクタ１１は、衣服の布２１の厚さに応じてサイズ等を変更する必要がある部品を一切含んでいない。
【００４３】
また、第１の防水シート１９、第２の防水シート２０および浸透接着剤シートＳが、溶融した後、固化することで、第１インシュレータ１５と第２インシュレータ１６との間の防水がなされているため、衣服用コネクタ１１が取り付けられた衣服が、例えば、雨に晒される、または、洗濯されても、第１インシュレータ１５と第２インシュレータ１６との間に水が浸入することを防止することができる。
【００４４】
衣服の布２１に取り付けられた衣服用コネクタ１１に、相手側コネクタとなる電子機器モジュール３１を位置合わせした状態を図１９に示す。
電子機器モジュール３１は、図２０に示されるように、絶縁性材料からなるハウジング３２を有している。ハウジング３２は、第１ハウジング部材３３と、第１ハウジング部材３３に結合される第２ハウジング部材３４とを有している。第１ハウジング部材３３は、−Ｚ方向に突出する凸部３３Ａを有し、凸部３３Ａを囲むように凸部３３Ａの外周部にゴム等の弾性材料からなる嵌合用リング３５が装着されている。凸部３３Ａは、電子機器モジュール３１を衣服用コネクタ１１に嵌合した際に、衣服用コネクタ１１の凹状の相手側コネクタ収容部１７に挿入されるものである。
【００４５】
図２１に示されるように、電子機器モジュール３１は、さらに、複数のコンタクト３６が実装された基板３７と、第１ハウジング部材３３と基板３７との間に配置される防水部材３８と、基板３７を第１ハウジング部材３３に固定するための固定ネジ３９を備えている。
第１ハウジング部材３３の凸部３３Ａの−Ｚ方向を向いた面に、衣服用コネクタ１１の複数のコンタクト１３に対応する複数のコンタクト収容孔３３Ｂが形成されている。また、凸部３３Ａの外側面には、凸部３３Ａを囲むように、嵌合用リング３５を装着するための溝３３Ｃが形成されている。
【００４６】
基板３７に装着されたコンタクト３６は、電子機器モジュール３１を衣服用コネクタ１１に嵌合した際に、衣服用コネクタ１１のプラグ型のコンタクト１３に接続されるレセプタクル型のコンタクトであり、金属等の導電性材料から形成されている。
防水部材３８には、複数のコンタクト３６がそれぞれ挿入される複数の開口部３８Ａが形成されている。
【００４７】
防水部材３８を間に挟んで、複数のコンタクト３６が実装された基板３７を固定ネジ３９により第１ハウジング部材３３に固定し、第１ハウジング部材３３に第２ハウジング部材３４を結合し、第１ハウジング部材３３の凸部３３Ａの溝３３Ｃに嵌合用リング３５を装着することにより、図２０に示される電子機器モジュール３１が組み立てられる。
【００４８】
図２２に示されるように、電子機器モジュール３１を衣服用コネクタ１１に嵌合すると、電子機器モジュール３１の凸部３３Ａが衣服用コネクタ１１の凹状の相手側コネクタ収容部１７に挿入されるが、このとき、電子機器モジュール３１の嵌合用リング３５が、第１ハウジング部材３３の凸部３３Ａの外側面と衣服用コネクタ１１の凹状の相手側コネクタ収容部１７との間で圧縮変形されることで、電子機器モジュール３１と衣服用コネクタ１１とが互いに堅固に嵌合し且つ電子機器モジュール３１と衣服用コネクタ１１との間から水が浸入することが防止される。
【００４９】
また、電子機器モジュール３１の凸部３３Ａが衣服用コネクタ１１の相手側コネクタ収容部１７に挿入されることで、衣服用コネクタ１１の複数のプラグ型のコンタクト１３が、電子機器モジュール３１の複数のコンタクト収容孔３３Ｂを通して複数のレセプタクル型のコンタクト３６に挿入され、互いに電気的に接続される。
このようにして、電子機器モジュール３１を、衣服側コネクタ部に接続されるウエアラブルデバイスとして使用することができる。
【００５０】
実施の形態２
図２３に、実施の形態２に係る衣服用コネクタ４１と、衣服用コネクタ４１が取り付けられる衣服の布５１を示す。
上述した実施の形態１の衣服用コネクタ１１においては、図２に示されるように、コネクタ本体１２の外部に配置される複数の導電部材１８の外部導電部１８Ｂのすべてが、コネクタ固定部材１４により覆われているが、図２３に示される実施の形態２の衣服用コネクタ４１では、複数の導電部材４８の外部導電部４８Ｂの先端が、コネクタ固定部材１４の外側にまで延びている。衣服用コネクタ４１は、実施の形態１の衣服用コネクタ１１において、複数の導電部材１８の代わりに複数の導電部材４８を用いたものであり、導電部材４８以外は、衣服用コネクタ１１と同様の構成を有している。導電部材４８は、実施の形態１における導電部材１８と同様に、導電繊維からなるものとする。
【００５１】
また、実施の形態１において使用される衣服の布２１は、図１５に示されるように、裏面に複数の衣服側導体部２３が配置されているが、図２３に示される衣服の布５１は、衣服用コネクタ４１が取り付けられる面と同じ表面上に複数の衣服側導体部５３が配置されている。
【００５２】
衣服用コネクタ４１を衣服の布５１の表面におけるコネクタ取り付け位置５２に位置させると、図２４に示されるように、衣服用コネクタ４１の複数の導電部材４８の外部導電部４８Ｂの先端が、布５１の表面上に配置されている複数の衣服側導体部５３の上に位置し、複数の衣服側導体部５３に接触する。そこで、互いに対応する外部導電部４８Ｂと衣服側導体部５３とが絶縁性糸２５を用いて布５１と共に縫合される。これにより、衣服用コネクタ４１の複数の導電部材４８と布５１の複数の衣服側導体部５３とが、それぞれ、電気的に接続される。
【００５３】
なお、絶縁性糸２５の代わりに導電性糸２４を用いて縫合することもできるが、外部導電部４８Ｂと衣服側導体部５３とが互いに接触しているため、導電性糸２４を用いる必要はなく、絶縁性糸２５を用いても衣服用コネクタ４１の導電部材４８と布５１の衣服側導体部５３とを電気的に接続することができる。また、衣服用コネクタ４１の導電部材４８と布５１の衣服側導体部５３との接続は、縫合に限るものではなく、例えば、導電性接着剤を用いて導電部材４８と衣服側導体部５３とを接着しても、これら両者を電気的に接続することができる。
実施の形態２に係る衣服用コネクタ４１においては、導電部材４８の外部導電部４８Ｂの先端がコネクタ固定部材１４の外側に露出しているので、コネクタ固定部材１４をめくることなく、導電部材４８の外部導電部４８Ｂを縫合することができる。ただし、実施の形態１の衣服用コネクタ１１のように、複数の導電部材１８の外部導電部１８Ｂのすべてが、コネクタ固定部材１４により覆われていれば、コネクタ固定部材１４をめくりながら縫合を行う必要があるものの、縫合箇所がコネクタ固定部材１４により覆われることで、縫合箇所が雨、埃等に晒されることを防止することが可能となる。
【００５４】
また、複数の導電部材４８の外部導電部４８Ｂの先端がコネクタ固定部材１４の外側にまで延びている衣服用コネクタ４１を、図１５に示されるように、裏面に複数の衣服側導体部２３が配置された布２１の表面上に取り付けることもできる。実施の形態１と同様に、導電性糸２４を用いて衣服用コネクタ４１の導電部材４８の外部導電部４８Ｂと布２１の衣服側導体部２３とを布２１と共に縫合することにより、衣服用コネクタ４１の導電部材４８と布２１の衣服側導体部２３とを電気的に接続することができる。
【００５５】
さらに、複数の導電部材１８の外部導電部１８Ｂのすべてがコネクタ固定部材１４により覆われている実施の形態１の衣服用コネクタ１１を、図２３に示されるように、複数の衣服側導体部５３が配置された布５１の表面上に取り付けることもできる。ただし、布５１の複数の衣服側導体部５３は、それぞれ、布５１の表面上に配置される衣服用コネクタ１１の複数の導電部材１８の外部導電部１８Ｂに対応する位置まで延びているものとする。
衣服用コネクタ４１を衣服の布５１の表面におけるコネクタ取り付け位置５２に位置させると、衣服用コネクタ１１の複数の導電部材１８の外部導電部１８Ｂが、布５１の表面上に配置されている複数の衣服側導体部５３の上に位置して複数の衣服側導体部５３に接触する。そこで、コネクタ固定部材１４をめくりながら、互いに対応する外部導電部１８Ｂと衣服側導体部５３とを絶縁性糸２５を用いて布５１と共に縫合すればよい。これにより、衣服用コネクタ１１の導電部材１８と布５１の衣服側導体部５３とを電気的に接続することができる。
【００５６】
実施の形態３
上述した実施の形態１および２においては、複数の導電部材１８および４８が、衣服用コネクタ１１および４１に具備されており、これら複数の導電部材１８および４８が、衣服の布２１および５１の複数の衣服側導体部２３および５３に接続されるが、これに限るものではない。例えば、図２５に示されるように、衣服の布６１に、予め複数の導電部材６８が取り付けられており、これらの導電部材６８を用いて衣服用コネクタを組み立てることもできる。
布６１は、コネクタ取り付け位置に開口部６２を有し、複数の導電部材６８は、それぞれの先端部が開口部６２内に位置するように配置されている。導電部材６８は、実施の形態１における導電部材１８と同様に、導電繊維からなるものとする。
【００５７】
例えば、図６〜９に示されるように、第１インシュレータ１５の−Ｚ方向側にコネクタ固定部材１４および第１の防水シート１９が順次配置され、第１の防水シート１９の複数の貫通孔１９Ａに複数のコンタクト１３が組み込まれた状態で、図２５に示される布６１の複数の導電部材６８が、第１の防水シート１９および複数のコンタクト１３のフランジ１３Ｂの上に配置される。このとき、図１０において、複数の導電部材１８の代わりに、図２５に示されるように、布６１に取り付けられている導電部材６８が配置されることとなる。
さらに、図１１〜１３に示されるように、２つの浸透接着剤シートＳ、第２の防水シート２０および第２インシュレータ１６が順次重ねて配置された後、加熱処理、冷却処理および第１インシュレータ１５の複数の固定用突起１５Ｂの先端部の融着処理が行われる。これにより、布６１の複数の導電部材６８が組み込まれた衣服用コネクタを組み立てることができる。
【００５８】
なお、実施の形態１〜３において用いられる導電部材１８、４８および６８は、いずれも導電繊維からなっているが、例えば、樹脂または布の表面に導電膜がコーティングされたものを用いることもできる。
また、図１４に示されるように、可撓性を有する導電部材１８を間に挟んで、第２インシュレータ１６のコンタクト用突起１６Ａがコンタクト１３の突起収容部１３Ｃに挿入されることにより、コンタクト１３が導電部材１８に電気的に接続されるが、例えばハンダ付け等を用いてコンタクト１３を導電部材１８に電気的に接続する場合には、導電部材１８が可撓性を有する必要はない。このため、金属板等により実施の形態１〜３における導電部材１８、４８および６８を形成することもできる。
【００５９】
実施の形態１および２において、複数の導電部材１８および４８は、コネクタ固定部材１４の−Ｚ方向側に配置されているが、これに限るものではなく、複数の導電部材１８および４８が、コネクタ固定部材１４の＋Ｚ方向側に配置されていてもよい。ただし、導電部材１８および４８が、コネクタ固定部材１４の外側にまで延びていない場合には、導電部材１８および４８を衣服側導体部２３および５３に電気的に接続するために、導電性糸２４を用いて導電部材１８および４８の外部導電部１８Ｂおよび４８Ｂと衣服側導体部２３および５３とをコネクタ固定部材１４と共に縫合する必要がある。
また、実施の形態３において用いられる導電部材６８も、コネクタ固定部材１４の＋Ｚ方向側に配置されるように構成することができる。
なお、実施の形態１および２においては、複数の導電部材１８および４８は、コネクタ固定部材１４から独立した部材であるが、複数の導電部材１８および４８が予めコネクタ固定部材１４に貼り付けられていてもよい。
【００６０】
実施の形態１〜３では、６個のコンタクト１３と、６個の導電部材１８、４８および６８が用いられているが、これに限るものではなく、１つ以上のコンタクト１３と、１つ以上の導電部材１８、４８および６８を有していればよい。
また、実施の形態１および２では、衣服用コネクタ１１および４１が複数のプラグ型のコンタクト１３を有し、電子機器モジュール３１が複数のレセプタクル型のコンタクト３６を有しているが、逆に、衣服用コネクタ１１および４１が複数のレセプタクル型のコンタクト３６を有し、電子機器モジュール３１が複数のプラグ型のコンタクト１３を有していてもよい。
【符号の説明】
【００６１】
１  コネクタ、２  衣服側コネクタ部、３  モジュール側コネクタ部、４  ベース部材、５  枠部材、６  接点部、６Ａ  外部接続部、７  突起、８  布、９  開口部、１０  配線部、１１，４１  衣服用コネクタ、１２  コネクタ本体、１３  コンタクト、１３Ａ  突出部、１３Ｂ  フランジ、１３Ｃ  突起収容部、１４  コネクタ固定部材、１４Ａ，３８Ａ，６２  開口部、１４Ｂ，１６Ｂ，１９Ａ，１９Ｂ，１９Ｃ，２０Ａ，２０Ｂ，２０Ｃ  貫通孔、１５  第１インシュレータ、１５Ａ  コンタクト取付孔、１５Ｂ  固定用突起、１５Ｃ  突起、１６  第２インシュレータ、１６Ａ  コンタクト用突起、１６Ｃ  凹部、１７  相手側コネクタ収容部、１８，４８，６８  導電部材、１８Ａ  内部導電部、１８Ｂ，４８Ｂ  外部導電部、１９  第１の防水シート、２０  第２の防水シート、２１，５１，６１  布、２２，５２  コネクタ取り付け位置、２３，５３  衣服側導体部、２４  導電性糸、２５  絶縁性糸、３１  電子機器モジュール、３２  ハウジング、３３  第１ハウジング部材、３３Ａ  凸部、３３Ｂ  コンタクト収容孔、３３Ｃ  溝、３４  第２ハウジング部材、３５  嵌合用リング、３６  コンタクト、３７  基板、３８  防水部材、３９  固定ネジ、Ｓ  浸透接着剤シート。
【図１】
2020010832.tif 000003
【図２】
2020010832.tif 000004
【図３】
2020010832.tif 000005
【図４】
2020010832.tif 000006
【図５】
2020010832.tif 000007
【図６】
2020010832.tif 000008
【図７】
2020010832.tif 000009
【図８】
2020010832.tif 000010
【図９】
2020010832.tif 000011
【図１０】
2020010832.tif 000012
【図１１】
2020010832.tif 000013
【図１２】
2020010832.tif 000014
【図１３】
2020010832.tif 000015
【図１４】
2020010832.tif 000016
【図１５】
2020010832.tif 000017
【図１６】
2020010832.tif 000018
【図１７】
2020010832.tif 000019
【図１８】
2020010832.tif 000020
【図１９】
2020010832.tif 000021
【図２０】
2020010832.tif 000022
【図２１】
2020010832.tif 000023
【図２２】
2020010832.tif 000024
【図２３】
2020010832.tif 000025
【図２４】
2020010832.tif 000026
【図２５】
2020010832.tif 000027
【図２６】
2020010832.tif 000028
【図２７】
2020010832.tif 000029